(57)【要約】【課題】  本発明では、正確に且つ手間無く洗滌プログラムの変更を行なう事が可能な内視鏡システムを提供することを課題とする。【解決手段】  内視鏡装置は、リーダ／ライタ２１を用いて接続された内視鏡や処置具から識別情報を読み出し、これによって内視鏡情報サーバ１に問い合わせ、応答として得られた判断材料情報を内視鏡若しくは処置具に書き込む。内視鏡洗滌装置３は、リーダ／ライタ３１によってこの判断材料情報を読み出して、洗滌処理の内容を決定する。別形態では、内視鏡洗滌装置３が、リーダ／ライタ３１によって、内視鏡若しくは処置具から識別情報を読み出し、これによって内視鏡情報サーバ１に問い合わせ、応答として得られた判断材料情報から洗滌処理内容を決定する。【選択図】      図１
2006051073.tif 000002
【特許請求の範囲】
【請求項１】
患者情報、検査情報及び検査情報等を管理する情報処理装置、内視鏡検査を行なう内視鏡装置、及び内視鏡検査で用いられた内視鏡又は処置具を洗滌する内視鏡洗滌装置をネットワークで接続した内視鏡システムであって
前記情報処理装置は、
前記内視鏡又は処置具の洗滌の仕方を決定する為に用いられる判断材料情報を、前記内視鏡又は処置具を一意に識別する識別情報と関連づけて記憶する内視鏡情報記憶手段と、
前記内視鏡装置から前記識別情報を通知されると、当該識別情報と関連づけられている判断材料情報を前記内視鏡情報記憶手段から読み出し、前記内視鏡装置に返信する内視鏡情報読み出し手段と、
を備え、
前記内視鏡装置は、
接続された内視鏡又は処置具のメモリから前記識別情報を読み出す読み出し手段と、
前記読み出し手段が読み出した前記識別情報を前記情報処理装置に通知する問い合わせ手段と、
前記問い合わせ手段による通知に対する前記情報処理装置からの応答を前記内視鏡又は処置具のメモリに書き込む書き込み手段と、
を備え、
前記内視鏡洗滌装置は、
前記内視鏡又は処置具のメモリから前記判断材料情報を読み出し、当該判断材料情報に基づいて洗滌処理の内容を決定する洗滌手段と、
を備えることを特徴とする内視鏡システム。
【請求項２】
患者情報、検査情報及び検査情報等を管理する情報処理装置及び内視鏡検査で用いられた内視鏡又は処置具を洗滌する内視鏡洗滌装置をネットワークで接続した内視鏡システムであって
前記情報処理装置は、
前記内視鏡又は処置具の洗滌の仕方を決定する為に用いられる判断材料情報を、前記内視鏡又は処置具を一意に識別する識別情報と関連づけて記憶する内視鏡情報記憶手段と、
前記内視鏡洗滌装置から前記識別情報を通知されると、当該識別情報と関連づけられている判断材料情報を前記内視鏡情報記憶手段から読み出し、前記内視鏡洗滌装置に返信する内視鏡情報読み出し手段と、
を備え、
前記内視鏡洗滌装置は、
前記内視鏡又は処置具のメモリから前記識別情報を読み出し、当該識別情報を前記情報処理装置に通知する問い合わせ手段と、
前記問い合わせ手段による通知に対する前記情報処理装置からの応答として送信された、前記判断材料情報に基づいて洗滌処理の内容を決定する洗滌手段と、
を備えることを特徴とする内視鏡システム。
【請求項３】
前記内視鏡洗滌装置は、
前記識別情報と前記判断材料情報の対応関係を示すテーブルを前記情報処理装置から受け取り記憶するテーブル記憶手段を更に備え、前記洗滌手段は、前記問い合わせ手段による通知に対する応答が前記情報処理装置から無いとき、前記識別情報によって前記テーブルを参照して洗滌処理の内容を決定することを特徴とする請求項２に記載の内視鏡システム。
【請求項４】
患者情報、検査情報及び検査情報等を管理する情報処理装置及び内視鏡検査で用いられた内視鏡又は処置具を洗滌する内視鏡洗滌装置をネットワークで接続した内視鏡システムであって
前記情報処理装置は、
前記内視鏡又は処置具の洗滌の仕方を決定する為に用いられる判断材料情報を、前記内視鏡又は処置具を一意に識別する識別情報と関連づけて記憶する内視鏡情報記憶手段と、
前記内視鏡洗滌装置による洗滌処理の処理内容を規定する各洗滌プログラムによる処理内容を記憶する洗滌プログラム記憶手段と、
前記内視鏡洗滌装置からの通知に対して、対応する洗滌プログラムを前記洗滌プログラム記憶手段から、また通知された前記識別情報と関連づけられている判断材料情報を前記内視鏡情報記憶手段から読み出す情報読み出し手段と、
前記内視鏡情報記憶手段から読み出した前記判断材料情報と通知された前記センサ情報から前記洗滌プログラムによる処理内容を検討し、検討結果に基づいて制御指示を前記内視鏡洗滌装置に通知する制御指示手段と、
を備え、
前記内視鏡洗滌装置は、
前記内視鏡又は処置具のメモリから前記識別情報を読み出す識別情報読み出し手段と、
前記洗滌プログラムに基づいて前記内視鏡又は処置具の洗滌処理を行なう洗滌手段と、
前記洗滌手段による洗滌処理の処理状態を検知するセンサ手段と、
前記識別情報読み出し手段が読み出した前記識別情報、前記洗滌手段が用いる前記洗滌プログラムを示す情報、及び前記センサ手段による前記処理状態を示す情報を前記情報処理装置に通知する問い合わせ手段と、
前記問い合わせ手段による通知に対する前記情報処理装置からの応答として送信された、前記制御指示に基づいて前記洗滌手段による洗滌処理を制御する洗滌制御手段と、
を備えることを特徴とする内視鏡システム。
【請求項５】
前記判断材料情報は、対応する内視鏡又は処置具が使用された患者に対する感染症の有無を示す情報を含むことを特徴とする請求項１乃至４の何れか１つに記載の内視鏡システム。
【請求項６】
前記内視鏡又は処置具のメモリは、ＲＦＩＤの技術によって構築されたものであることを特徴とする請求項１乃至５の何れか１つに記載の内視鏡システム。
【請求項７】
内視鏡検査を行なう内視鏡装置及び内視鏡検査で用いられた内視鏡又は処置具を洗滌する内視鏡洗滌装置とネットワークにより接続され、患者情報、検査情報及び検査情報等を管理する情報処理装置であって
前記内視鏡又は処置具の洗滌の仕方を決定する為に用いられる判断材料情報を、前記内視鏡又は処置具を一意に識別する識別情報と関連づけて記憶する内視鏡情報記憶手段と、
前記ネットワークを介して外部から前記識別情報を通知されると、当該識別情報と関連づけられている判断材料情報を前記内視鏡情報記憶手段から読み出して、返信する内視鏡情報読み出し手段と、
を備えることを特徴とする情報処理装置。
【請求項８】
内視鏡検査で用いられた内視鏡又は処置具を洗滌する内視鏡洗滌装置とネットワーク接続され、患者情報、検査情報及び検査情報等を管理する情報処理装置であって
前記内視鏡又は処置具の洗滌の仕方を決定する為に用いられる判断材料情報を、前記内視鏡又は処置具を一意に識別する識別情報と関連づけて記憶する内視鏡情報記憶手段と、
前記内視鏡洗滌装置による洗滌処理の処理内容を規定する各洗滌プログラムによる処理内容を記憶する洗滌プログラム記憶手段と、
前記内視鏡洗滌装置からの通知に対して、対応する洗滌プログラムを前記洗滌プログラム記憶手段から、また通知された前記識別情報と関連づけられている判断材料情報を前記内視鏡情報記憶手段から読み出す情報読み出し手段と、
前記内視鏡情報記憶手段から読み出した前記判断材料情報と通知された前記センサ情報から前記洗滌プログラムによる処理内容を検討し、検討結果に基づいて制御指示を前記内視鏡洗滌装置に通知する制御指示手段と、
を備えることを特徴とする情報処理装置。
【請求項９】
患者情報、検査情報及び検査情報等を管理する情報処理装置とネットワーク接続された、内視鏡検査を行なう内視鏡装置であって
接続された内視鏡又は処置具のメモリから前記識別情報を読み出す読み出し手段と、
前記読み出し手段が読み出した前記識別情報を前記情報処理装置に通知する問い合わせ手段と、
前記問い合わせ手段による通知に対する前記情報処理装置からの応答を前記内視鏡又は処置具のメモリに書き込む書き込み手段と、
を備えることを特徴とする内視鏡装置。
【請求項１０】
前記内視鏡又は処置具の接続を検知する接続検知手段を更に備え、前記読み出し手段は、前記見地手段が接続を検知すると前記メモリから前記識別情報を読み出すことを特徴とする請求項９に記載の内視鏡装置。
【請求項１１】
患者情報、検査情報及び検査情報等を管理する情報処理装置とネットワーク接続され、内視鏡検査で用いられた内視鏡又は処置具を洗滌する内視鏡洗滌装置であって
前記内視鏡又は処置具のメモリから前記判断材料情報を読み出す読み出し手段と、
当該判断材料情報に基づいて洗滌処理の内容を決定する洗滌手段と、
を備えることを特徴とする内視鏡洗滌装置。
【請求項１２】
患者情報、検査情報及び検査情報等を管理する情報処理装置とネットワーク接続され、内視鏡検査で用いられた内視鏡又は処置具を洗滌する内視鏡洗滌装置であって
前記内視鏡又は処置具のメモリから前記識別情報を読み出し、当該識別情報を前記情報処理装置に通知する問い合わせ手段と、
前記問い合わせ手段による通知に対する前記情報処理装置からの応答として送信された、前記判断材料情報に基づいて洗滌処理の内容を決定する洗滌手段と、
を備えることを特徴とする内視鏡洗滌装置。
【請求項１３】
前記識別情報と前記判断材料情報の対応関係を示すテーブルを前記情報処理装置から受け取り記憶するテーブル記憶手段を更に備え、前記洗滌手段は、前記問い合わせ手段による通知に対する応答が前記情報処理装置から無いとき、前記識別情報によって前記テーブルを参照して洗滌処理の内容を決定することを特徴とする請求項１２に記載の内視鏡システム。
【請求項１４】
患者情報、検査情報及び検査情報等を管理する情報処理装置とネットワーク接続され、内視鏡検査で用いられた内視鏡又は処置具を洗滌する内視鏡洗滌装置であって
前記内視鏡又は処置具のメモリから前記識別情報を読み出す識別情報読み出し手段と、
洗滌処理内容を規定する洗滌プログラムに基づいて前記内視鏡又は処置具の洗滌処理を行なう洗滌手段と、
前記洗滌手段による洗滌処理の処理状態を検知するセンサ手段と、
前記識別情報読み出し手段が読み出した前記識別情報、前記洗滌手段が用いる前記洗滌プログラムを示す情報、及び前記センサ手段による前記処理状態を示す情報を前記情報処理装置に通知する問い合わせ手段と、
前記問い合わせ手段による通知に対する前記情報処理装置からの応答として送信された、前記制御指示に基づいて前記洗滌手段による洗滌処理を制御する洗滌制御手段と、
を備えることを特徴とする内視鏡洗滌装置。
【請求項１５】
内視鏡検査を行なう内視鏡装置及び内視鏡検査で用いられた内視鏡又は処置具を洗滌する内視鏡洗滌装置とネットワークにより接続された、患者情報、検査情報及び検査情報等を管理する情報処理装置内で実行されるプログラムであって
前記ネットワークを介して外部から前記識別情報を通知されると、当該識別情報と関連づけられている前記内視鏡又は処置具の洗滌の仕方を決定する為に用いられる判断材料情報を、前記内視鏡又は処置具を一意に識別する識別情報と関連づけて記憶する記憶手段から読み出す機能と、
前記記憶手段から読み出した判断材料情報を通知先に返信する機能と、
を実現するプログラム。
【請求項１６】
内視鏡検査を行なう内視鏡装置及び内視鏡検査で用いられた内視鏡又は処置具を洗滌する内視鏡洗滌装置とネットワークにより接続された、患者情報、検査情報及び検査情報等を管理する情報処理装置内で実行されるプログラムであって
前記内視鏡洗滌装置からの、内視鏡又は処置具を一意に識別する識別情報、前記内視鏡洗滌装置による洗滌処理の処理状態を示す情報、及び洗滌処理の内容を示す情報を含む通知に対して、当該通知が示す識別情報に対応する、内視鏡又は処置具の洗滌の仕方を決定する為に用いられる判断材料情報、及び処理状態を示す情報から前記洗滌処理の内容を検討する機能と、
当該検討結果に基づいて制御指示を前記内視鏡洗滌装置に通知する機能とを
を実現するプログラム。
【請求項１７】
患者情報、検査情報及び検査情報等を管理する情報処理装置及び内視鏡検査で用いられた内視鏡又は処置具を洗滌する内視鏡洗滌装置とネットワーク接続された、内視鏡検査を行なう内視鏡装置内で実行されるプログラムであって
接続された内視鏡又は処置具のメモリから前記識別情報を読み出す機能と、
前記読み出した前記識別情報を前記情報処理装置に通知する機能と、
前記通知に対する前記情報処理装置からの応答を前記内視鏡又は処置具のメモリに書き込む機能と、
を実現するプログラム。
【請求項１８】
患者情報、検査情報及び検査情報等を管理する情報処理装置とネットワーク接続され、内視鏡検査で用いられた内視鏡又は処置具を洗滌する内視鏡洗滌装置内で実行されるプログラムであって
前記内視鏡又は処置具のメモリから前記判断材料情報を読み出す機能と、
当該判断材料情報に基づいて洗滌処理の内容を決定する機能と、
を実現するプログラム。
【請求項１９】
患者情報、検査情報及び検査情報等を管理する情報処理装置とネットワーク接続され、内視鏡検査で用いられた内視鏡又は処置具を洗滌する内視鏡洗滌装置内で実行されるプログラムであって
前記内視鏡又は処置具のメモリから前記識別情報を読み出し、当該識別情報を前記情報処理装置に通知する問い合わせ機能と、
前記通知に対する前記情報処理装置からの応答として送信された、前記判断材料情報に基づいて洗滌処理の内容を決定する機能と、
を実現するプログラム。
【請求項２０】
患者情報、検査情報及び検査情報等を管理する情報処理装置とネットワーク接続され、内視鏡検査で用いられた内視鏡又は処置具を洗滌する内視鏡洗滌装置内で実行されるプログラムであって
前記内視鏡又は処置具のメモリから前記識別情報を読み出す機能と、
洗滌処理による処理内容を規定する洗滌プログラムに基づいて前記内視鏡又は処置具の洗滌処理を行なう機能と、
前記洗滌処理の処理状態を検知する機能と、
前記内視鏡又は処置具から読み出した前記識別情報、前記洗滌プログラムを示す情報、及び前記処理状態を示す情報を前記情報処理装置に通知する機能と、
前記通知に対する前記情報処理装置からの応答として送信された制御指示に基づいて前記洗滌処理を制御する機能と、
を実現するプログラム。
【発明の詳細な説明】
【技術分野】
【０００１】
本発明は、内視鏡システムに関し、更に詳しくは内視鏡検査で用いられた内視鏡や処置具の洗滌処理に対する技術に関する。
【背景技術】
【０００２】
現在、内視鏡検査を行なう内視鏡装置を病院施設内に敷設されたネットワークに接続し、内視鏡検査で撮影された内視鏡画像や医師の所見、患者情報、検査日時等の検査記録等検査に対する種々の情報をネットワークを介してサーバ内に記録、蓄積する内視鏡システムが広く利用されている。
【０００３】
またこの内視鏡システムを利用して、内視鏡検査に用いたのスコープ等の内視鏡や処置具の洗滌処理についての情報を管理することも提案されている。
例えば特許文献１には、種々の情報を蓄積するサーバと内視鏡洗滌装置をネットワーク接続し、内視鏡洗滌装置によって行なった洗滌処理についての情報をサーバに送信して蓄積管理する構成が開示されている。
【特許文献１】特開２００２−２８１３２号公報（図１、段落［００１６］）
【発明の開示】
【発明が解決しようとする課題】
【０００４】
内視鏡検査に使用されたスコープ等の内視鏡や処置具の洗滌は、病院スタッフが、内視鏡洗滌装置に洗滌を行なう処置具をセットし、内視鏡洗滌装置において汚れ具合などに応じて洗滌プログラムを選択して行なわれるが、特許文献１のシステム等現在実現している、或いは提案されている内視鏡システムでは、病院スタッフがこのとき血液等によるスコープの汚れ量や、感染症の有無等の患者に対する特性情報から判断して、内視鏡洗滌装置の操作ボタンを操作して洗滌プログラムをセットして行なう。
【０００５】
この様にこれまでは、洗滌プログラムのセットは病院スタッフによるマニュアル操作によって行なわれているため、手間のかかるものであった。
本発明では、正確に且つ手間無く洗滌プログラムの変更を行う事が可能な内視鏡システムを提供することを目的とする。
【課題を解決するための手段】
【０００６】
本発明による内視鏡システムの第１の形態は、患者情報、検査情報及び検査情報等を管理する情報処理装置、内視鏡検査を行なう内視鏡装置、及び内視鏡検査で用いられた内視鏡又は処置具を洗滌する内視鏡洗滌装置をネットワークで接続する構成を前提とする。
【０００７】
前記情報処理装置は、前記内視鏡又は処置具の洗滌の仕方を決定する為に用いられる判断材料情報を、前記内視鏡又は処置具を一意に識別する識別情報と関連づけて記憶する内視鏡情報記憶手段と、前記内視鏡装置から前記識別情報を通知されると、当該識別情報と関連づけられている判断材料情報を前記内視鏡情報記憶手段から読み出し、前記内視鏡装置に返信する内視鏡情報読み出し手段と、を備える。
【０００８】
前記内視鏡装置は、接続された内視鏡又は処置具のメモリから前記識別情報を読み出す読み出し手段と、前記読み出し手段が読み出した前記識別情報を前記情報処理装置に通知する問い合わせ手段と、前記問い合わせ手段による通知に対する前記情報処理装置からの応答を前記内視鏡又は処置具のメモリに書き込む書き込み手段と、を備える。
【０００９】
前記洗滌装置は、前記内視鏡又は処置具のメモリから前記判断材料情報を読み出し、当該判断材料情報に基づいて洗滌処理の内容を決定する洗滌手段と、を備える。
この構成により、内視鏡洗滌装置は、内視鏡装置によって書き込まれた判断材料情報に基づいて洗滌処理の内容を自動的に決定することが出来る。
【００１０】
また、本発明による内視鏡システムの第２の形態は、患者情報、検査情報及び検査情報等を管理する情報処理装置及び内視鏡検査で用いられた内視鏡又は処置具を洗滌する内視鏡洗滌装置をネットワークで接続する構成を前提とする。
【００１１】
前記情報処理装置は、前記内視鏡又は処置具の洗滌の仕方を決定する為に用いられる判断材料情報を、前記内視鏡又は処置具を一意に識別する識別情報と関連づけて記憶する内視鏡情報記憶手段と、前記内視鏡洗滌装置から前記識別情報を通知されると、当該識別情報と関連づけられている判断材料情報を前記内視鏡情報記憶手段から読み出し、前記内視鏡洗滌装置に返信する内視鏡情報読み出し手段と、を備える。
【００１２】
前記内視鏡洗滌装置は、前記内視鏡又は処置具のメモリから前記識別情報を読み出し、当該識別情報を前記情報処理装置に通知する問い合わせ手段と、前記問い合わせ手段による通知に対する前記情報処理装置からの応答として送信された、前記判断材料情報に基づいて洗滌処理の内容を決定する洗滌手段と、を備える。
【００１３】
この構成により、内視鏡洗滌装置は、内視鏡又は処置具から読み出した識別情報を用いて情報処理装置に問い合わせることにより、洗滌処理の内容を自動的に決定することが出来る。
【００１４】
また第２の形態では、前記識別情報と前記判断材料情報の対応関係を示すテーブルを前記情報処理装置から受け取り記憶するテーブル記憶手段を更に備え、前記洗滌手段は、前記問い合わせ手段による通知に対する応答が前記情報処理装置から無いとき、前記識別情報によって前記テーブルを参照して洗滌処理の内容を決定する構成とすることも出来る。
【００１５】
この構成により、情報処理装置との通信障害に対して対処することが出来る。
更に本発明による内視鏡システムの第３の形態は、患者情報、検査情報及び検査情報等を管理する情報処理装置及び内視鏡検査で用いられた内視鏡又は処置具を洗滌する内視鏡洗滌装置をネットワークで接続した構成を前提とする。
【００１６】
前記情報処理装置は、前記内視鏡又は処置具の洗滌の仕方を決定する為に用いられる判断材料情報を、前記内視鏡又は処置具を一意に識別する識別情報と関連づけて記憶する内視鏡情報記憶手段と、前記内視鏡洗滌装置による洗滌処理の処理内容を規定する各洗滌プログラムによる処理内容を記憶する洗滌プログラム記憶手段と、前記内視鏡洗滌装置からの通知に対して、対応する洗滌プログラムを前記洗滌プログラム記憶手段から、また通知された前記識別情報と関連づけられている判断材料情報を前記内視鏡情報記憶手段から読み出す情報読み出し手段と、前記内視鏡情報記憶手段から読み出した前記判断材料情報と通知された前記センサ情報から前記洗滌プログラムによる処理内容を検討し、検討結果に基づいて制御指示を前記内視鏡洗滌装置に通知する制御指示手段と、を備える。
【００１７】
前記内視鏡洗滌装置は、前記内視鏡又は処置具のメモリから前記識別情報を読み出す識別情報読み出し手段と、前記洗滌プログラムに基づいて前記内視鏡又は処置具の洗滌処理を行なう洗滌手段と、前記洗滌手段による洗滌処理の処理状態を検知するセンサ手段と、前記識別情報読み出し手段が読み出した前記識別情報、前記洗滌手段が用いる前記洗滌プログラムを示す情報、及び前記センサ手段による前記処理状態を示す情報を前記情報処理装置に通知する問い合わせ手段と、前記問い合わせ手段による通知に対する前記情報処理装置からの応答として送信された、前記制御指示に基づいて前記洗滌手段による洗滌処理を制御する洗滌制御手段と、を備える。
【００１８】
この構成により内視鏡洗滌装置は、洗滌手段による洗滌処理に対して細かな制御を行なうことが出来る。
また本発明は、情報処理装置、内視鏡装置及び内視鏡洗滌装置、及びこれらの内部で実行されるプログラムもその範囲に含む。
【発明の効果】
【００１９】
本発明によれば、内視鏡検査で用いられた内視鏡や処置具に対する洗滌は、自動的に処理内容が決定され、実行される。従って煩わしい、洗滌内容のセット入力を行なう必要がない。
【００２０】
また内視鏡や処置具に記憶されている識別情報から自動的に洗滌処理の内容が決まるので、人為的なミスが発生するのを防ぐことが出来る。
更に従来行なわれていた洗滌処理より、細かな設定、制御を行なうことが出来、洗滌の質そのものを向上させることが出来る。
【発明を実施するための最良の形態】
【００２１】
以下に本発明に係る一実施形態を図面を参照しながら説明する。
図１は、本実施形態に於ける内視鏡システムの構成を示す図である。
同図のシステムは、内視鏡情報サーバ１、内視鏡装置２、及び内視鏡洗滌装置３が病院施設内に敷設されたネットワークである院内ＬＡＮ４によってネットワーク接続される構成を持つ。尚同図では、内視鏡装置２及び内視鏡洗滌装置３をそれぞれ１つずつ示してあるが、これらが複数院内ＬＡＮ４に接続される構成としても良い。
【００２２】
内視鏡情報サーバ１は、病院内で実施される内視鏡検査についての情報を管理するサーバで、患者情報、検査情報、撮影画像情報、実施記録情報等、内視鏡検査についての種々の情報や患者についての情報、及び内視鏡洗滌装置３による洗滌処理についての情報を内部に備える内視鏡情報データベース１１にデータベース化して蓄積、管理している。また内視鏡情報データベース１１に記憶されている、内視鏡検査の実施記録等の検査情報や、内視鏡検査を行なった患者についての情報は、スコープ等の体内への挿入部を有する内視鏡又は処置具の識別情報と関連付けて記憶、蓄積されており、識別情報を検索キーとすることにより、その内視鏡や処置具が使用された内視鏡検査についての情報や患者についての情報を内視鏡情報データベース１１から読み出すことが出来る。
【００２３】
内視鏡装置２は、ビデオプロセッサや光源装置等から構成され、スコープ等の内視鏡又は処置具を接続して内視鏡検査を行なうものである。また内視鏡装置２は、内視鏡や処置具が備えるメモリに対し読み書きを行なうリーダ／ライタ２１を備えており、後述するように内視鏡若しくは処置具が内視鏡装置２に接続されたのを検知すると、内視鏡や処置具のメモリからシリアル番号等の識別情報を読み出し、また内視鏡洗滌装置３で洗滌を行なう際に洗滌プログラムの選択に用いられる情報が書き込まれる。尚このリーダ／ライタ２１は、内視鏡装置２の構成要素の１つとするのではなく、内視鏡洗滌装置３に接続する外部装置として構成しても良い。
【００２４】
内視鏡洗滌装置３は、内視鏡検査において、内視鏡装置２に接続されて使用されたスコープ等の内視鏡や処置具に対して洗滌処理を行なうものである。この内視鏡装置３は、リーダ／ライタ３１を用いて洗滌するためにセットされた内視鏡又は処置具から情報を読み出し、この情報に基づいて洗滌用プログラムを選択して、処置具の洗滌を実施する。尚このリーダ／ライタ３１も、内視鏡洗滌装置３の構成要素の１つとするのではなく、内視鏡洗滌装置３に接続する外部装置として構成しても良い。尚本明細書において、洗滌処理とは、狭義の洗滌（Ｃｌｅａｎｉｎｇ）を行なう処理のみを指すのではなく、消毒（Ｄｉｓｎｆｅｃｔｉｏｎ）や滅菌（Ｓｔｅｒｉｌｉｚａｔｉｏｎ）を行なう為の処理であったり、洗滌のための処理、消毒のための処理及び滅菌のための処理の３つの処理全て若しくは２つを含むものであってもよい。また内視鏡洗滌装置３は、洗滌を行なうもののみを指すのではなく、洗滌、消毒、滅菌のための全ての処理若しくはそれら処理の一部を実行できる装置全般を含む。
【００２５】
本実施形態の内視鏡システムでは、内視鏡検査時に内視鏡装置２に接続して用いられるスコープ等の内視鏡や処置具は、ＲＦＩＤによって（無線通信によって読み書きする構成の場合）、あるいはＥＥＰＲＯＭ等によって（有線通信によって読み書きする構成の場合）構成される不揮発性の読み書き可能なメモリを備えている。そしてそのメモリには、内視鏡や処置具の識別情報を記憶しており、内視鏡検査を行なう際や内視鏡や処置具を洗滌する際に、内視鏡装置２や洗滌装置３は、リーダ／ライタ２１、３１によってこのメモリ内の情報を読みし、この情報に基づいて内視鏡情報サーバ１に種々の問い合わせを行なうことによって洗滌プログラムを選択したり、或いはこのメモリ内に洗滌プログラムを選択するために必要な情報を書き込み、これを内視鏡洗滌装置３による洗滌処理時に読み出すことによって洗滌プログラムを選択している。尚このメモリは、ＲＦＩＤによって構成した場合、メモリへのコネクターが不要となるので、洗滌を行なう際に洗滌できない部分を内視鏡や処置具に増やすこと無く実現することが出来る。
【００２６】
図２は、内視鏡情報サーバ１の構成例を示す図である。
本実施形態に於ける内視鏡情報サーバ１は、図２に示す様にＣＰＵ５１、主記憶装置５２、ハードディスク等の補助記憶装置５３、ディスプレイ、キーボード等の入出力装置（Ｉ／Ｏ）５４、院内ＬＡＮとの接続を行なうモデム等のネットワーク接続装置５５及びディスク、磁気テープなどの可搬記憶媒体５８から記憶内容を読み出す媒体読取り装置５６を有し、これらが互いにバス５８により接続される構成を備えている。
【００２７】
図２の内視鏡情報サーバ１は、媒体読取り装置５６により磁気テープ、フロッピー（登録商標）ディスク、ＣＤ−ＲＯＭ、ＭＯ等の記憶媒体５７に記憶されているプログラム、データを読み出し、これを主記憶装置５２または補助記憶装置５３にダウンロードする。そしてこのプログラムやデータに基づいて、ＣＰＵ５１が実行処理を行なうことにより、フローチャートを用いて後述する各種処理の機能を実現する。
【００２８】
図３は、内視鏡洗滌装置３の構成例を示す図である。
本実施形態に於ける内視鏡洗滌装置３は、図３に示す様にＣＰＵ６１、主記憶装置６２、ハードディスク等の補助記憶装置６３、ディスプレイ、タッチパネル、入力キー、上記したリーダ／ライタ３１等の入出力装置（Ｉ／Ｏ）６４、院内ＬＡＮとの接続を行なうモデム等のネットワーク接続装置６５及びセットされた内視鏡や処置具の洗滌を行なう洗滌部６７の制御を行なう洗滌制御部６６を有し、これらが互いにバス６８により接続される構成を備えている。
【００２９】
内視鏡洗滌装置３は、ＣＰＵ６１が主記憶装置６２や補助記憶装置６３上のプログラムを実行することによって後述する洗滌プログラムの選択処理を行い、この洗滌プログラムに基づいて洗滌制御部６６に制御指示を送り、洗滌制御部６６がこの指示に基づいて洗滌部６７を制御することによってセットされている内視鏡や処置具の滅菌消毒、洗滌処理を行なう。
【００３０】
次に本実施形態の内視鏡システムにおける第１の動作形態について説明する。
第１の動作形態では、内視鏡検査時に内視鏡装置２にスコープ等の内視鏡や処置具を接続すると、内視鏡装置２がリーダ／ライタ２１を用いて処置具のメモリからその内視鏡若しくは処置具の型番やシリアル番号等のその内視鏡や処置具を識別する識別情報を読み出し、これを内視鏡情報サーバ１に通知する。
【００３１】
内視鏡情報サーバ１では、この識別情報を用いて内視鏡情報データベース１１を検索し、この内視鏡若しくは処置具に対して内視鏡洗滌装置３が行なう洗滌の仕方を指示する情報を応答として内視鏡装置２に返信し、内視鏡装置２はこの情報を処置具内のメモリに書き込む。
【００３２】
そして内視鏡検査が終了後、内視鏡若しくは処置具を内視鏡洗滌装置３において洗滌する際、内視鏡洗滌装置３は、リーダ／ライタ３１を用いてセットされた内視鏡若しくは処置具から内視鏡装置２によって書き込まれた情報を読み出し、これに基づいて洗滌プログラムを選択して洗滌処理を行なう。
【００３３】
図４は、この第１の動作形態における内視鏡情報サーバ１及び内視鏡装置２の動作処理を示すフローチャートである。同図の処理は、内視鏡情報サーバ１及び内視鏡装置２内のＣＰＵ５１が、主記憶装置５２若しくは補助記憶装置５３上のプログラムを実行することによって実現される。
【００３４】
同図に示す動作処理では、内視鏡装置２は、内視鏡検査を開始するに当たって、その準備処置としてスコープ等の内視鏡若しくは処置具が接続されると、ステップＳＡ１としてセンサによってその接続を検知する。
【００３５】
そして内視鏡装置２は、ステップＳＡ２としてリーダ／ライタ２１を用いて接続された内視鏡若しくは処置具からシリアル番号等の識別情報を読み出し、ステップＳＡ３として院内ＬＡＮ４を介してこれを内視鏡情報サーバ１に送信する。この読み出し方としては、例えば内視鏡や処置具のメモリがＲＦＩＤによる技術によって構築されている場合には、リーダ／ライタ２１は、内視鏡若しくは処置具の接続を検知すると無線による識別情報の送信要求を送信し、ＲＦＩＤが応答として送信するデータを受信することによって行なう。また内視鏡や処置具のメモリが、不揮発性メモリによって構成されている場合には、内視鏡若しくは処置具を内視鏡装置２に接続すると、そのメモリに有線接続される構成とし、内視鏡若しくは処置具の接続を検知すると内視鏡装置２内のＣＰＵが直接、このメモリから情報の読み出しを行なう。
【００３６】
内視鏡情報サーバ１は、この識別情報を内視鏡装置２から受信すると（ステップＳＢ１）、ステップＳＢ２としてこの識別情報を検索キーとして内視鏡情報データベース１１を検索し、この内視鏡若しくは処置具の種類、感染症の有無等の用いた患者の特性を調べ、その結果に基づいて、内視鏡洗滌装置３による洗滌処理時に洗滌の仕方を決める為に用いる判断材料情報を生成し、これを内視鏡装置２に返信する（ステップＳＢ３）。このときの判断材料情報としては、内視鏡洗滌装置３が備えている洗滌プログラムを指定する情報としても良いし、或いは洗滌プログラムを選択するために内視鏡や処置具を使用した患者の特性等を示す情報であっても良い。
【００３７】
ステップＳＡ４として内視鏡情報サーバ１から応答を受信すると、内視鏡装置２は、ステップＳＡ５としてリーダ／ライタ２１を用いて、これを内視鏡若しくは処置具内のメモリに書き込む。
【００３８】
図５は、第１の動作形態における内視鏡洗滌装置３の動作処理を示すフローチャートである。同図の処理は、内視鏡洗滌装置３内のＣＰＵ６１が、主記憶装置６２若しくは補助記憶装置６３上のプログラムを実行することによって実現される。
【００３９】
同図に示す動作処理では、洗滌を行なうスコープ等の内視鏡若しくは処置具が内視鏡洗滌装置３にセットされ、スタートボタンが押下されると（ステップＳ１１）、内視鏡洗滌装置３は、ステップＳ１２としてリーダ／ライタ３１を用いてセットされた内視鏡若しくは処置具から判断材料情報を読み出す。
【００４０】
そして内視鏡洗滌装置３は、ステップＳ１３としてこの判断材料情報に基づいて洗滌プログラムを選択し、ステップＳ１４としてこの洗滌プログラムを実行することにより内視鏡若しくは処置具の洗滌処理を行なう。
【００４１】
このように第１の動作形態では、内視鏡検査時に内視鏡若しくは処置具に検査を行なう患者の感染症の有無等、内視鏡洗滌装置３で洗滌する際に洗滌処理の内容の選択に影響のある情報を判断材料情報として、内視鏡検査時に処置具に書き込む。そして内視鏡洗滌装置３で洗滌処理を行なう際には、この判断材料情報を読み出して洗滌プログラムを自動的に選択、実行する。これにより、正確に且つ手間無く適宜な洗滌プログラムが選択されて、内視鏡や処置具の洗滌を行なうことが出来る。
【００４２】
次に第２の動作形態について説明する。
第２の形態では、洗滌時に内視鏡洗滌装置３がリーダ／ライタ３１を用いて内視鏡若しくは処置具から識別情報を読み出し、この情報を内視鏡情報サーバ１に送信して得られる応答から、洗滌プログラムを決定する。尚この第２の動作形態では、第１の動作形態の様に内視鏡検査時には、内視鏡装置２が内視鏡や処置具のメモリからデータを読み出したり、書き込みを行なう等の処理を実行する必要はない。
【００４３】
図６は第２の動作形態における内視鏡情報サーバ１及び内視鏡洗滌装置３の動作処理を示すフローチャートである。同図の処理も、内視鏡情報サーバ１及び内視鏡洗滌装置３内のＣＰＵ５１、６１が、主記憶装置５２、６２若しくは補助記憶装置５３、６３上のプログラムを実行することによって実現される。
【００４４】
同図に示す動作処理では、洗滌を行なうスコープ等の内視鏡若しくは処置具が内視鏡洗滌装置３にセットされ、スタートボタンが押下されると（ステップＳＡ２１）、内視鏡洗滌装置３は、ステップＳＡ２２としてリーダ／ライタ３１を用いてセットされた内視鏡若しくは処置具から判断材料情報を読み出す。そして内視鏡洗滌装置３は、ステップＳＡ２３としてこの判断材料情報を内視鏡情報サーバ１に送信する。
【００４５】
内視鏡情報サーバ１は、この識別情報を内視鏡洗滌装置３から受信すると（ステップＳＢ２１）、ステップＳＢ２２としてこの識別情報を検索キーとして内視鏡情報データベース１１を検索し、この内視鏡若しくは処置具の種類、感染症の有無等の用いた患者の特性情報を調べ、その結果に基づいて、内視鏡洗滌装置３による洗滌処理時に洗滌プログラムを選択するための上記した判断材料情報を生成し、これを内視鏡装置２に返信する（ステップＳＢ２３）。
【００４６】
内視鏡洗滌装置３は、ステップＳＡ２４として内視鏡情報サーバ１からの応答として判断材料情報を受信し、ステップＳＡ２５としてこの判断材料情報に基づいて洗滌プログラムを選択し、ステップＳＡ２６としてこの洗滌プログラムを実行することにより内視鏡若しくは処置具の洗滌処理を行なう。
【００４７】
このように第２の動作形態においては、内視鏡や処置具の洗滌処理時に、内視鏡洗滌装置３が処置具から識別情報を読み出し、この識別情報で内視鏡情報サーバ１に問い合わせを行ない、その応答に基づいて洗滌プログラムを選択する。これにより、第２の動作形態においても正確に且つ手間無く適宜な洗滌プログラムが選択されて、内視鏡や処置具の洗滌が行なうことができる。また洗滌処理時に内視鏡情報サーバ１に問い合わせて洗滌プログラムを選択できるので、患者の属性情報や実際の内視鏡検査での使われ方に即して細かく洗滌プログラムを設定、管理することが出来る。
【００４８】
次に第３の動作形態について説明する。
第３の動作形態では、洗滌時に内視鏡洗滌装置３がリーダ／ライタ３１を用いて内視鏡や処置具から識別情報を読み出し、この識別情報と共に洗滌部６７に設けられた各種センサからの情報と共に内視鏡情報サーバ１に送信し、その応答に基づいて、洗滌処理を制御する。これにより、洗滌処理による洗滌部６７の状態の変化に即した、より細かな制御を実現する。
【００４９】
図７は、第３の動作形態に於ける内視鏡情報サーバ１及び内視鏡洗滌装置３の動作処理を示すフローチャートである。同図の処理も、内視鏡情報サーバ１及び内視鏡洗滌装置３内のＣＰＵ５１、６１が、主記憶装置５２、６２若しくは補助記憶装置５３、６３上のプログラムを実行することによって実現される。
【００５０】
同図に示す動作処理では、洗滌を行なうスコープ等の内視鏡若しくは処置具が内視鏡洗滌装置３にセットされ、スタートボタンが押下されると（ステップＳＡ３１）、内視鏡洗滌装置３は、ステップＳＡ３２としてリーダ／ライタ３１を用いてセットされた内視鏡若しくは処置具から判断材料情報を読み出す。
【００５１】
次に内視鏡洗滌装置３は、ステップＳＡ３３としてデフォルトで設定されている洗滌プログラムを用いて洗滌を開始する。そして、ステップＳ３４として、現在実行されている洗滌プログラムのプログラム名、ステップＳ３２で内視鏡若しくは処置具から読み出した識別情報及び洗滌部６７に設けられた各種センサからのセンサ情報を内視鏡情報サーバ１に送信する。尚ここで送信されるセンサ情報とは、洗滌液の種類や濃度、温度、種類などが考えられる。
【００５２】
内視鏡情報サーバ１は、ステップＳＡ３４で内視鏡洗滌装置３から送信された各種情報を受信すると（ステップＳＢ３１）、ステップＳＢ３２としてこの識別情報を検索キーとして内視鏡情報データベース１１を検索し、この内視鏡若しくは処置具の種類、内視鏡若しくは処置具を用いた患者についての特性（感染症の有無等）を記録した特性情報を調べる。また洗滌プログラム名からその洗滌プログラムで実行される処理内容を調べ、内視鏡情報データベース１１から調べた内容、及び受信したセンサ情報から現在内視鏡洗滌装置３で実行されている洗滌処理の内容を検討して内容が適切であるかどうかを判断し、不適切な場合は、洗滌プログラムや処理内容の変更、洗滌処理の停止を指示する制御コマンドを発行して、ステップＳＢ３３としてこれを応答として内視鏡洗滌装置３に返信する。
【００５３】
図８は、内視鏡情報データベース１１内に記憶されている、内視鏡洗滌装置３で実行される各洗滌プログラムによって行なわれる処理内容を示す図である。
同図の例では、洗滌プログラム１〜４の４つの洗滌プログラムに対して、それぞれ漏水検知の実施を自動で行なうか目視で行なうか、洗滌時間、消毒時間、消毒温度、すすぎ時間、及びアルコールフラッシュを行なうかどうかについて示されている。
【００５４】
内視鏡情報サーバ１では、内視鏡洗滌装置３から受信した洗滌プログラムのプログラム名によって、内視鏡情報データベース１１から図８に示した情報を検索して、この洗滌プログラムによって行なわれる処理内容を調べ、内視鏡情報データベース１１を検索して得られた、洗滌を行なっている内視鏡や処置具の種類や使用した患者の特性（感染症の有無等）、及び受信したセンサ情報から、この洗滌プログラムで行なわれる処理内容が適切であるかどうかを判断し、不適切な場合には処理内容の変更を指示する制御コマンドを発行し、これを内視鏡洗滌装置３に送信して、洗滌処理を変更させる。
【００５５】
図９は、制御コマンドの例を示す図である。
同図の例では、洗滌プログラムの自動切替、消毒タンクの加温アップ、アルコールフラッシュ行程の追加／取消を指示するコマンドＡ〜Ｄの４つのコマンドが示されている。尚同図の制御コマンドは一例であり、内視鏡洗滌装置３によって行なわれる洗滌処理の内容に応じて適宜なものを、設けることが出来る。
【００５６】
内視鏡情報サーバ１は、現在実行されている洗滌プログラムによる処理が不適切と判断した場合、図９に示したような制御コマンドを発行し、これを内視鏡洗滌装置３に対する応答として返信することにより制御指示を行なう。
【００５７】
図７のステップＳＡ３５として、内視鏡情報サーバ１から図８に示したような制御コマンドを含む応答を受信した内視鏡洗滌装置３は、ステップＳＡ３６としてこの応答内の制御コマンドに基づいた洗滌部３７の制御を洗滌制御部３６に実行させる。
【００５８】
以降、ステップＳＡ３４〜ＳＡ３６の処理を洗滌処理が終了するまで繰り返し（ステップＳＡ３７、Ｎ）、内視鏡洗滌装置３による洗滌が終了したならば（ステップＳＡ３７、Ｙ）、本処理を終了する。
【００５９】
このように第３の動作形態においては、内視鏡や処置具の洗滌処理を実行中に、内視鏡洗滌装置３が洗滌処理における各種状態を示すセンサ情報を内視鏡情報サーバ１に通知し、その応答に基づいて洗滌処理の制御を行なう。これにより、第３の動作形態においては、洗滌処理における各種状態の変化に対応したより細かな制御による洗滌処理を実現することが出来る。
【００６０】
次に第４の動作形態について説明する。
第４の形態は、院内ＬＡＮ４の通信障害に対処したもので、内視鏡洗滌装置３が内視鏡情報サーバ１から事前に洗滌プログラム選択のためのテーブルを受信しておく。そして、内視鏡情報サーバ１との間の通信に障害が生じた場合には、このテーブルを用いて洗滌プログラムの選択を行なう。
【００６１】
図１０は第４の動作形態における内視鏡洗滌装置３の動作処理を示すフローチャートである。尚同図の処理も、内視鏡洗滌装置３内のＣＰＵ６１が、主記憶装置６２若しくは補助記憶装置６３上のプログラムを実行することによって実現される。尚第４の形態における内視鏡情報サーバ１の動作は、基本的に図６に示したものと同じである。
【００６２】
内視鏡洗滌装置３は、まずステップＳ４１として、スコープ等の内視鏡や処置具の洗滌処理を行なう前に、内視鏡情報サーバ１から洗滌プログラム選択のためのテーブルを事前に受信してメモリ内に記憶する。
【００６３】
次に洗滌処理として、洗滌を行なう内視鏡若しくは処置具が内視鏡洗滌装置３にセットされ、スタートボタンが押下されると（ステップＳ４２）、内視鏡洗滌装置３は、ステップＳ４３としてリーダ／ライタ３１を用いてセットされた内視鏡若しくは処置具から判断材料情報を読み出す。そして内視鏡洗滌装置３は、ステップＳ４４としてこの判断材料情報を内視鏡情報サーバ１に送信する。
【００６４】
この後、内視鏡情報サーバ１との間の通信に支障が無く、ステップＳ４３の送信に対する応答が内視鏡情報サーバ１から返信されれば（ステップＳ４５、Ｙ）、第２の形態と同様、ステップＳ４７として内視鏡情報サーバ１から応答として受信した判断材料情報に基づいて洗滌プログラムを選択し、ステップＳ４８としてこの洗滌プログラムを実行することにより内視鏡若しくは処置具の洗滌処理を行なう。
【００６５】
一方院内ＬＡＮ４に通信障害は発生した、内視鏡情報サーバ１がシステムダウンした等の理由で、内視鏡情報サーバ１から応答がない場合には（ステップＳ４５、Ｎ）、ステップＳ４６として、ステップＳ４１で受信したテーブルをステップＳ４３で内視鏡若しくは処置具から読み出した識別情報によって参照して、洗滌プログラムを決定し、ステップＳ４８としてこの洗滌プログラムを実行することにより内視鏡若しくは処置具の洗滌処理を行なう。
【００６６】
このように第４の動作形態においては、院内ＬＡＮ４の通信障害等、内視鏡情報サーバ１との通信に支障を来たしていても、適宜な洗滌プログラムを選択して、内視鏡や処置具の洗滌が行なうことが出来る。
【００６７】
このように本実施形態による内視鏡システムによれば、内視鏡検査で用いられた内視鏡や処置具に対する洗滌は、洗滌処理時に自動的に洗滌プログラムが選択されて、実行される。よって、正確に且つ手間無く洗滌プログラムの変更を行う事が出来る。
【００６８】
また内視鏡や処置具に記憶されている識別情報から自動的に洗滌処理の内容が決まるので、人為的なミスが発生するのを防ぐことが出来る。
更に従来行なわれていた洗滌処理より、細かな設定、制御を行なうことが出来、洗滌の質そのものを向上させることが出来る。
【図面の簡単な説明】
【００６９】
【図１】本実施形態に於ける内視鏡システムの構成を示す図である。
【図２】内視鏡情報サーバの構成例を示す図である。
【図３】内視鏡洗滌装置の構成例を示す図である。
【図４】第１の動作形態における内視鏡情報サーバ及び内視鏡装置の動作処理を示すフローチャートである。
【図５】第１の動作形態における内視鏡洗滌装置の動作処理を示すフローチャートである。
【図６】第２の動作形態における内視鏡情報サーバ及び内視鏡洗滌装置の動作処理を示すフローチャートである。
【図７】第３の動作形態に於ける内視鏡情報サーバ及び内視鏡洗滌装置の動作処理を示すフローチャートである。
【図８】内視鏡情報データベース内に記憶されている、内視鏡洗滌装置で実行される各洗滌プログラムによって行なわれる処理内容を示す図である。
【図９】制御コマンドの例を示す図である。
【図１０】第４の動作形態における内視鏡洗滌装置の動作処理を示すフローチャートである。
【符号の説明】
【００７０】
１          内視鏡情報サーバ
２          内視鏡装置
３          内視鏡洗滌装置
４          院内ＬＡＮ
１１        内視鏡情報データベース
２１、３１  リーダ／ライタ
５１、６１  ＣＰＵ
５２、６２  主記憶装置
５３、６３  補助記憶装置
５４、６４  入出力装置
５５、６５  ネットワーク接続装置
５６        媒体読みとり装置
５７        可搬記憶媒体
５８、６８  院内ＬＡＮ
６６        洗滌制御部
６７        洗滌部
【図１】
2006051073.tif 000003
【図２】
2006051073.tif 000004
【図３】
2006051073.tif 000005
【図４】
2006051073.tif 000006
【図５】
2006051073.tif 000007
【図６】
2006051073.tif 000008
【図７】
2006051073.tif 000009
【図８】
2006051073.tif 000010
【図９】
2006051073.tif 000011
【図１０】
2006051073.tif 000012
【手続補正書】
【提出日】平成16年9月1日(2004.9.1)
【手続補正１】
【補正対象書類名】特許請求の範囲
【補正対象項目名】請求項７
【補正方法】変更
【補正の内容】
【請求項７】
内視鏡検査を行なう内視鏡装置及び内視鏡検査で用いられた内視鏡又は処置具を洗滌する内視鏡洗滌装置とネットワークにより接続され、患者情報、検査情報及び検査情報等を管理する情報処理装置であって
前記内視鏡又は処置具の洗滌の仕方を決定する為に用いられる判断材料情報を、前記内視鏡又は処置具を一意に識別する識別情報と関連づけて記憶する内視鏡情報記憶手段と、
前記ネットワークを介して外部から前記識別情報を通知されると、当該識別情報と関連づけられている前記判断材料情報を前記内視鏡情報記憶手段から読み出して、返信する内視鏡情報読み出し手段と、
を備えることを特徴とする情報処理装置。
【手続補正２】
【補正対象書類名】明細書
【補正対象項目名】０００１
【補正方法】変更
【補正の内容】
【０００１】
本発明は、内視鏡システムに関し、更に詳しくは内視鏡検査で用いられた内視鏡や処置具と、情報処理装置と内視鏡洗滌装置との連係機能に関する。
【手続補正３】
【補正対象書類名】明細書
【補正対象項目名】０００４
【補正方法】変更
【補正の内容】
【０００４】
内視鏡検査に使用された内視鏡や処置具の洗滌は、病院スタッフが、内視鏡洗滌装置に洗滌を行なう内視鏡や処置具をセットし、内視鏡洗滌装置において汚れ具合などに応じて洗滌プログラムを選択して行なわれるが、特許文献１のシステム等現在実現している、或いは提案されている内視鏡システムでは、病院スタッフがこのとき血液等によるスコープの汚れ量や、感染症の有無等の患者に対する特性情報から判断して、内視鏡洗滌装置の操作ボタンを操作して洗滌プログラムをセットして行なう。
【手続補正４】
【補正対象書類名】明細書
【補正対象項目名】００１５
【補正方法】変更
【補正の内容】
【００１５】
この構成により、情報処理装置との通信障害時に対しても対処することが出来る。
更に本発明による内視鏡システムの第３の形態は、患者情報、検査情報及び検査情報等を管理する情報処理装置及び内視鏡検査で用いられた内視鏡又は処置具を洗滌する内視鏡洗滌装置をネットワークで接続した構成を前提とする。
【手続補正５】
【補正対象書類名】明細書
【補正対象項目名】００２２
【補正方法】変更
【補正の内容】
【００２２】
内視鏡情報サーバ１は、病院内で実施される内視鏡検査についての情報を管理するサーバで、患者情報、検査情報、撮影画像情報、実施記録情報等、内視鏡検査についての種々の情報や患者についての情報、及び内視鏡洗滌装置３による洗滌処理についての情報を内部に備える内視鏡情報データベース１１にデータベース化して蓄積、管理している。また内視鏡情報データベース１１に記憶されている、内視鏡検査の実施記録等の検査情報や、内視鏡検査を行なった患者についての情報は、体内への挿入部を有する内視鏡又は処置具の識別情報と関連付けて記憶、蓄積されており、識別情報を検索キーとすることにより、その内視鏡や処置具が使用された内視鏡検査についての情報や患者についての情報を内視鏡情報データベース１１から読み出すことが出来る。
【手続補正６】
【補正対象書類名】明細書
【補正対象項目名】００２３
【補正方法】変更
【補正の内容】
【００２３】
内視鏡装置２は、ビデオプロセッサや光源装置等から構成され、内視鏡又は処置具を接続して内視鏡検査を行なうものである。また内視鏡装置２は、内視鏡や処置具が備えるメモリに対し読み書きを行なうリーダ／ライタ２１を備えており、後述するように内視鏡若しくは処置具が内視鏡装置２に接続されたのを検知すると、内視鏡や処置具のメモリからシリアル番号等の識別情報を読み出し、また内視鏡洗滌装置３で洗滌を行なう際に洗滌プログラムの選択に用いられる情報が書き込まれる。尚このリーダ／ライタ２１は、内視鏡装置２の構成要素の１つとするのではなく、内視鏡洗滌装置３に接続する外部装置として構成しても良い。
【手続補正７】
【補正対象書類名】明細書
【補正対象項目名】００２４
【補正方法】変更
【補正の内容】
【００２４】
内視鏡洗滌装置３は、内視鏡検査において、内視鏡装置２に接続されて使用された内視鏡や処置具に対して洗滌処理を行なうものである。この内視鏡洗滌装置３は、リーダ／ライタ３１を用いて洗滌するためにセットされた内視鏡又は処置具から情報を読み出し、この情報に基づいて洗滌用プログラムを選択して、内視鏡又は処置具の洗滌を実施する。尚このリーダ／ライタ３１も、内視鏡洗滌装置３の構成要素の１つとするのではなく、内視鏡洗滌装置３に接続する外部装置として構成しても良い。尚本明細書において、洗滌処理とは、狭義の洗滌（Ｃｌｅａｎｉｎｇ）を行なう処理のみを指すのではなく、消毒（Ｄｉｓｎｆｅｃｔｉｏｎ）や滅菌（Ｓｔｅｒｉｌｉｚａｔｉｏｎ）を行なう為の処理であったり、洗滌のための処理、消毒のための処理及び滅菌のための処理の３つの処理全て若しくは２つを含むものであってもよい。また内視鏡洗滌装置３は、洗滌を行なうもののみを指すのではなく、洗滌、消毒、滅菌のための全ての処理若しくはそれら処理の一部を実行できる装置全般を含む。
【手続補正８】
【補正対象書類名】明細書
【補正対象項目名】００２５
【補正方法】変更
【補正の内容】
【００２５】
本実施形態の内視鏡システムでは、内視鏡検査時に内視鏡装置２に接続して用いられる内視鏡や処置具は、ＲＦＩＤによって（無線通信によって読み書きする構成の場合）、あるいはＥＥＰＲＯＭ等によって（有線通信によって読み書きする構成の場合）構成される不揮発性の読み書き可能なメモリを備えている。そしてそのメモリには、内視鏡や処置具の識別情報を記憶しており、内視鏡検査を行なう際や内視鏡や処置具を洗滌する際に、内視鏡装置２や内視鏡洗滌装置３は、リーダ／ライタ２１、３１によってこのメモリ内の情報を読みし、この情報に基づいて内視鏡情報サーバ１に種々の問い合わせを行なうことによって洗滌プログラムを選択したり、或いはこのメモリ内に洗滌プログラムを選択するために必要な情報を書き込み、これを内視鏡洗滌装置３による洗滌処理時に読み出すことによって洗滌プログラムを選択している。尚このメモリは、ＲＦＩＤによって構成した場合、メモリへのコネクターが不要となるので、洗滌を行なう際に洗滌できない部分を内視鏡や処置具に増やすこと無く実現することが出来る。
【手続補正９】
【補正対象書類名】明細書
【補正対象項目名】００２６
【補正方法】変更
【補正の内容】
【００２６】
図２は、内視鏡情報サーバ１の構成例を示す図である。
本実施形態に於ける内視鏡情報サーバ１は、図２に示す様にＣＰＵ５１、主記憶装置５２、ハードディスク等の補助記憶装置５３、ディスプレイ、キーボード等の入出力装置（Ｉ／Ｏ）５４、院内ＬＡＮとの接続を行なうネットワーク接続装置５５及びディスク、磁気テープなどの可搬記憶媒体５７から記憶内容を読み出す媒体読取り装置５６を有し、これらが互いにバス５８により接続される構成を備えている。
【手続補正１０】
【補正対象書類名】明細書
【補正対象項目名】００２７
【補正方法】変更
【補正の内容】
【００２７】
図２の内視鏡情報サーバ１は、磁気テープ、フロッピー（登録商標）ディスク、ＣＤ−ＲＯＭ、ＭＯ等の記憶媒体５７に記憶されているプログラム、データを媒体読取り装置５６により読み出したり、主記憶装置５２や補助記憶装置５３上に記憶し、このプログラムやデータに基づいて、ＣＰＵ５１が実行処理を行なうことにより、フローチャートを用いて後述する各種処理の機能を実現する。
【手続補正１１】
【補正対象書類名】明細書
【補正対象項目名】００２８
【補正方法】変更
【補正の内容】
【００２８】
図３は、内視鏡洗滌装置３の構成例を示す図である。
本実施形態に於ける内視鏡洗滌装置３は、図３に示す様にＣＰＵ６１、主記憶装置６２、ハードディスク等の補助記憶装置６３、ディスプレイ、タッチパネル、入力キー、上記したリーダ／ライタ３１等の入出力装置（Ｉ／Ｏ）６４、院内ＬＡＮとの接続を行なうネットワーク接続装置６５及びセットされた内視鏡や処置具の洗滌を行なう洗滌部６７の制御を行なう洗滌制御部６６を有し、これらが互いにバス６８により接続される構成を備えている。
【手続補正１２】
【補正対象書類名】明細書
【補正対象項目名】００３１
【補正方法】変更
【補正の内容】
【００３１】
内視鏡情報サーバ１では、この識別情報を用いて内視鏡情報データベース１１を検索し、この内視鏡若しくは処置具に対して内視鏡洗滌装置３が行なう洗滌の仕方を判断するための判断材料情報を応答として内視鏡装置２に返信し、内視鏡装置２はこの情報を内視鏡又は処置具内のメモリに書き込む。
【手続補正１３】
【補正対象書類名】明細書
【補正対象項目名】００３３
【補正方法】変更
【補正の内容】
【００３３】
図４は、この第１の動作形態における内視鏡情報サーバ１及び内視鏡装置２の動作処理を示すフローチャートである。同図の処理は、内視鏡情報サーバ１及び内視鏡装置２内のＣＰＵが、主記憶装置若しくは補助記憶装置上のプログラムを実行することによって実現される。
【手続補正１４】
【補正対象書類名】明細書
【補正対象項目名】００３４
【補正方法】変更
【補正の内容】
【００３４】
同図に示す動作処理では、内視鏡装置２は、内視鏡検査を開始するに当たって、その準備処置として内視鏡若しくは処置具が接続されると、ステップＳＡ１としてセンサによってその接続を検知する。
【手続補正１５】
【補正対象書類名】明細書
【補正対象項目名】００３９
【補正方法】変更
【補正の内容】
【００３９】
同図に示す動作処理では、洗滌を行なう内視鏡若しくは処置具が内視鏡洗滌装置３にセットされ、スタートボタンが押下されると（ステップＳ１１）、内視鏡洗滌装置３は、ステップＳ１２としてリーダ／ライタ３１を用いてセットされた内視鏡若しくは処置具から判断材料情報を読み出す。
【手続補正１６】
【補正対象書類名】明細書
【補正対象項目名】００４７
【補正方法】変更
【補正の内容】
【００４７】
このように第２の動作形態においては、内視鏡や処置具の洗滌処理時に、内視鏡洗滌装置３が内視鏡や処置具から識別情報を読み出し、この識別情報で内視鏡情報サーバ１に問い合わせを行ない、その応答に基づいて洗滌プログラムを選択する。これにより、第２の動作形態においても正確に且つ手間無く適宜な洗滌プログラムが選択されて、内視鏡や処置具の洗滌が行なうことができる。また洗滌処理時に内視鏡情報サーバ１に問い合わせて洗滌プログラムを選択できるので、患者の属性情報や実際の内視鏡検査での使われ方に即して細かく洗滌プログラムを設定、管理することが出来る。
【手続補正１７】
【補正対象書類名】明細書
【補正対象項目名】００５０
【補正方法】変更
【補正の内容】
【００５０】
同図に示す動作処理では、洗滌を行なう内視鏡若しくは処置具が内視鏡洗滌装置３にセットされ、スタートボタンが押下されると（ステップＳＡ３１）、内視鏡洗滌装置３は、ステップＳＡ３２としてリーダ／ライタ３１を用いてセットされた内視鏡若しくは処置具から判断材料情報を読み出す。
【手続補正１８】
【補正対象書類名】明細書
【補正対象項目名】００６２
【補正方法】変更
【補正の内容】
【００６２】
内視鏡洗滌装置３は、まずステップＳ４１として、内視鏡や処置具の洗滌処理を行なう前に、内視鏡情報サーバ１から洗滌プログラム選択のためのテーブルを事前に受信してメモリ内に記憶する。